【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
（A）エポキシ化ポリエチレンオキシド、エポキシ化ポリプロピレンオキシド及びポリエチレンプロピレンオキシドからなる群から選ばれる少なくとも 1 種のエポキシ化ポリアルキレンオキシド、
（B）ビスフェノール A エポキシド及びビスフェノール F エポキシドからなる群から選ばれる少なくとも 1 種のエポキシ化芳香族ヒドロキシ化合物、及び
（C）ビスフェノール A 及びビスフェノール F からなる群から選ばれる少なくとも 1 種の芳香族ヒドロキシ化合物
の混合物を反応させて第一中間生成物（Z1）を得、続いて、この第一中間生成物（Z1）とポリアミン（E）を反応させて第二中間生成物（Z2）を得、最後に、第二中間生成物（Z2）と少なくとも 1 種の化合物（F）を反応させることによって得られる水性エポキシ樹脂系用硬化剤であって、化合物（F）がα,β-不飽和カルボニル化合物又はニトリルからなる群から選ばれ、第二中間生成物（Z2）中に存在する一級アミノ基の少なくとも 1 ％、多くとも 99 ％が反応する水性エポキシ樹脂系用硬化剤。
【請求項２】
（A）エポキシ化ポリエチレンオキシド、エポキシ化ポリプロピレンオキシド及びポリエチレンプロピレンオキシドからなる群から選ばれる少なくとも 1 種のエポキシ化ポリアルキレンオキシド、
（B）ビスフェノール A エポキシド及びビスフェノール F エポキシドからなる群から選ばれる少なくとも 1 種のエポキシ化芳香族ヒドロキシ化合物、
（C）ビスフェノール A 及びビスフェノール F からなる群から選ばれる少なくとも 1 種の芳香族ヒドロキシ化合物、及び
（D）トリオールのトリグリシジルエーテル及びジオールのジグリシジルエーテルからなる群から選ばれる少なくとも 1 種の化合物
の混合物を反応させて第一中間生成物（Z1）を得、続いて、この第一中間生成物（Z1）とポリアミン（E）を反応させて第二中間生成物（Z2）を得、最後に、第二中間生成物（Z2）と少なくとも 1 種の化合物（F）を反応させることによって得られる水性エポキシ樹脂系用硬化剤であって、化合物（F）がα,β-不飽和カルボニル化合物又はニトリルからなる群から選ばれ、第二中間生成物（Z2）中に存在する一級アミノ基の少なくとも 1 ％、多くとも 99 ％が反応する水性エポキシ樹脂系用硬化剤。
【請求項３】
α,β-不飽和カルボニル化合物又はニトリル（F）が、一般式（I）：
【化１】
2007002250.tif 000001
［式中、X は -COR1 基又は -CN 基であり、R1 は -O-R3 基又は -NH-R3 基であり、R2 は水素又はメチル基であり、R3 は水素、或いは分枝又は直鎖の飽和又は不飽和であってよい C1〜22 アルキル基である。］
に相当する化合物から選ばれることを特徴とする、請求項１又は２に記載の硬化剤。
【請求項４】
ポリアミン（E）としてジエチレントリアミンを使用することを特徴とする、請求項１〜３のいずれかに記載の硬化剤。
【請求項５】
化合物（A）としてエポキシ化ポリプロピレンオキシドを使用することを特徴とする、請求項１〜４のいずれかに記載の硬化剤。
【請求項６】
化合物（B）としてビスフェノール A エポキシドを使用することを特徴とする、請求項１〜５のいずれかに記載の硬化剤。
【請求項７】
化合物（C）としてビスフェノール A を使用することを特徴とする、請求項１〜６のいずれかに記載の硬化剤。
【請求項８】
第二中間生成物（Z2）と化合物（F）の反応において、（Z2）中に存在する一級アミノ基の少なくとも 40 ％、多くとも 60 ％が反応することを特徴とする、請求項１〜７のいずれかに記載の硬化剤。
【請求項９】
クリヤラッカー、コーティング組成物などの製造のための請求項１〜８のいずれかに記載の硬化剤の使用。
【請求項１０】
水性媒体中での請求項１〜８のいずれかに記載の硬化剤とエポキシ化合物（F）の反応によって得られる、クリヤラッカー、コーティング組成物などの製造方法。
【請求項１１】
請求項１０に記載の方法によって得られる硬化組成物。
【請求項１２】
フロアコーティング組成物であることを特徴とする請求項１１に記載の硬化組成物。
【請求項１３】
0.4 mm を超える層厚さで 3 ％未満（23 ℃／50 ％相対空気湿度で測定）の長期収縮率を有することを特徴とする、請求項１２に記載のフロアコーティング組成物。
【手続補正２】
【補正対象書類名】明細書
【補正対象項目名】００１０
【補正方法】変更
【補正の内容】
【００１０】
第一の態様では、本発明は、
（A）エポキシ化ポリエチレンオキシド、エポキシ化ポリプロピレンオキシド及びポリエチレンプロピレンオキシドからなる群から選ばれる少なくとも 1 種のエポキシ化ポリアルキレンオキシド、
（B）ビスフェノール A エポキシド及びビスフェノール F エポキシドからなる群から選ばれる少なくとも 1 種のエポキシ化芳香族ヒドロキシ化合物、及び
（C）ビスフェノール A 及びビスフェノール F からなる群から選ばれる少なくとも 1 種の芳香族ヒドロキシ化合物
の混合物を反応させて第一中間生成物（Z1）を得、続いて、この第一中間生成物（Z1）とポリアミン（E）を反応させて第二中間生成物（Z2）を得、最後に、第二中間生成物（Z2）と少なくとも 1 種の化合物（F）を反応させることによって得られる水性エポキシ樹脂系用硬化剤であって、化合物（F）がα,β-不飽和カルボニル化合物又はニトリルからなる群から選ばれ、第二中間生成物（Z2）中に存在する一級アミノ基の少なくとも 1 ％、多くとも 99 ％が反応する水性エポキシ樹脂系用硬化剤に関する。
【手続補正３】
【補正対象書類名】明細書
【補正対象項目名】００２０
【補正方法】変更
【補正の内容】
【００２０】
明確にするために、本発明はまた、水性エポキシ樹脂系用硬化剤に関することを指摘しておく。これらの硬化剤は、
（A）エポキシ化ポリエチレンオキシド、エポキシ化ポリプロピレンオキシド及びポリエチレンプロピレンオキシドからなる群から選ばれる少なくとも 1 種のエポキシ化ポリアルキレンオキシド、
（B）ビスフェノール A エポキシド及びビスフェノール F エポキシドからなる群から選ばれる少なくとも 1 種のエポキシ化芳香族ヒドロキシ化合物、
（C）ビスフェノール A 及びビスフェノール F からなる群から選ばれる少なくとも 1 種の芳香族ヒドロキシ化合物、及び
（D）トリオールのトリグリシジルエーテル及びジオールのジグリシジルエーテルからなる群から選ばれる少なくとも 1 種の化合物
の混合物を反応させて第一中間生成物（Z1）を得、続いて、この第一中間生成物（Z1）とポリアミン（E）を反応させて第二中間生成物（Z2）を得、最後に、第二中間生成物（Z2）と少なくとも 1 種の化合物（F）を反応させることによって得られる。ただし、化合物（F）はα,β-不飽和カルボニル化合物又はニトリルからなる群から選ばれ、第二中間生成物（Z2）中に存在する一級アミノ基の少なくとも 1 ％、多くとも 99 ％は反応する。
【手続補正４】
【補正対象書類名】明細書
【補正対象項目名】００３２
【補正方法】変更
【補正の内容】
【００３２】
本発明の硬化剤の製造
本発明の硬化剤を製造するために、中間生成物（Z2）を少なくとも 1 種の化合物（F）と反応させる。ただし、中間生成物（Z2）中に存在する一級アミノ基の少なくとも 1 ％、多くとも 99 ％が反応しなくてもよい。換言すれば、中間生成物（Z2）中に存在する一級アミノ基の少なくとも 1 ％、多くとも 99 ％が反応し得る。
好ましい態様では、中間生成物（Z2）中に存在する一級アミノ基の少なくとも 25 ％、多くとも 75 ％が反応する。
特に好ましい態様では、中間生成物（Z2）中に存在する一級アミノ基の少なくとも 40 ％、多くとも 60 ％が反応する。